(57)【要約】  【課題】対向する２つの横架材間の壁の幅や壁の材質に左右されことなく自在かつ簡単に取り付けられ、壁などに額吊り具や額受け具の取り付けを必要としない額掛止具を提供すること。  【解決手段】額掛止具５０は、室内の対向する２つの横架材Ｓ１、Ｓ２間の壁Ｗの幅に対応可能な長さ調整手段１２を備え、また、上端面と下端面に各々係止手段１３、１４を備える壁取付基体１０と、下部に額受け部２２を備えると共に壁取付基体１０の長さに対応して上下に移動可能な略ハ字状をなす２本の額受け片２０と、を備え、前記額受け片２０が前記壁取付基体１０に取り付けられてなる。この額掛止具５０で２本の額受け片２０が左右に開閉可能である。また、額受け部２２の前後方向の幅の調整が可能である。また、壁取付基体１０に支持脚３１が設けられる。【選択図】図１
0003109869.tif 000002
【実用新案登録請求の範囲】
【請求項１】
室内の対向する２つの横架材間の壁の幅に対応可能な長さ調整手段を備え、また、上端面と下端面に各々係止手段を備える壁取付基体と、下部に額受け部を備えると共に壁取付基体の長さに対応して上下に移動可能な略ハ字状をなす２本の額受け片と、を備え、前記額受け片が前記壁取付基体に取り付けられてなることを特徴とする額掛止具。
【請求項２】
２本の額受け片が左右に開閉可能であることを特徴とする請求項１記載の額掛止具。
【請求項３】
角筒状の本体部と該本体部の中空内を上下に移動可能なスライド部とからなり、上端面と下端面に係止手段を備える壁取付基体と、下部に額受け部を備える共に上部が前記壁取付基体に着脱自在な留め具により螺着固定される略ハ字状をなす２本の額受け片と、を備え、前記スライド部の上部は前記額受け片と同軸で前記留め具により螺着固定されることを特徴とする請求項２記載の額掛止具。
【請求項４】
額受け部の前後方向の幅の調整が可能であることを特徴とする請求項１〜請求項３のいずれかに記載の額掛止具。
【請求項５】
壁取付基体に支持脚が設けられてなることを特徴とする請求項１〜請求項４のいずれかに記載の額掛止具。
【考案の詳細な説明】
【技術分野】
【０００１】
本考案は、壁に取り付けられ額を掛止する額掛止具に関し、詳細には、２つの横架材間の壁に自在かつ簡単に取り付けられ、額吊り具や額受け具を壁などに取り付ける必要のない額掛止具に関する。
【背景技術】
【０００２】
室内の壁には、写真、表彰状、絵画、色紙などを納めた額が飾られることがある。額は、通常、螺子やピンで壁や柱に取り付けられた略Ｌ字状の額吊り具に額に張設された吊り紐が吊られ、また、螺子やピンで壁や横架材に取り付けられた略Ｌ字状の額受けで下枠が支えられ、壁に対して傾いた状態で掛止される。しかし、これらの額吊り具や額受け具は、壁などに螺子跡やピン跡などの目立つ傷を付けるので、額を取り外した後の外観が好ましくないという問題があった。また、壁が石膏ボードの場合は、額吊り具や額受け具を取り付けることが難しく、外れ難いように取り付けるには壁の裏側に芯材がある場所に限定された。更に、複数の螺子やピンを取り付けなければならないため、取付作業が繁雑になるということがあった。このように従来の額吊り具や額受け具は、種々の問題があったため、壁などに額吊り具や額受け具を取り付けない額掛止具についての提案がある。例えば、杆材の下部を上方へ折り返して弾性的に拡縮可能な長押挿入部を形成するとともに、前記杆材の上部に吊支具を設けた額縁類取付具（特許文献１参照）の提案、額装品の下枠を支持する支持片を有する額受具を備え、上記額受具の所定部位には、同額受具と上記額装品との間に張設される紐体を係止する係止部が設けられる額装品の吊り具（特許文献２参照）の提案がある。
【特許文献１】実開平６−５０５６５号公報
【特許文献２】特開平１０−２９０７３６号公報
【考案の開示】
【考案が解決しようとする課題】
【０００３】
しかし、特許文献１に記載の額縁類取付具は、長押の上端面が平坦である場合には使用できず、使用が限定的である。また、特許文献２に記載の額装品の吊り具も、特許文献１の額縁類取付具と同様に長押の上端面が平坦である場合には使用できず、また、壁面に両面テープで取り付けられる額飾品の吊り具は、壁面に凹凸のある場合や時間の経過で額受具が外れるおそれがあった。更に、額装品の吊り具を取り外した後の壁に両面テープの貼付跡が汚れとして残るおそれがあった。
【０００４】
本考案は、上記の事情に鑑みなされたものであり、室内の対向する２つの横架材間の壁の幅や壁の材質に左右されことなく自在かつ簡単に取り付けられ、壁などに額吊り具や額受け具の取り付けを必要としない額掛止具に関する。
【課題を解決するための手段】
【０００５】
本考案者は、上記の課題を解決するため検討を重ね本考案に想到した。すなわち、本考案は、室内の対向する２つの横架材間の壁の幅に対応可能な長さ調整手段を備え、また、上端面と下端面に各々係止手段を備える壁取付基体と、下部に額受け部を備えると共に壁取付基体の長さに対応して上下に移動可能な略ハ字状をなす２本の額受け片と、を備え、前記額受け片が前記壁取付基体に取り付けられてなることを特徴とする額掛止具を要旨とする。  この構成により、２つの横架材間の壁の幅に壁取付基体の長さを対応させると同時に額受け片も移動するので、壁の幅に関係なく額掛止具を取り付けられ、しかも横架材に対して常に一定の位置関係を保持して額を掛止できる。ここで、室内の対向する２つの横架材間とは、通常、廻り縁と長押間あるいは廻り縁と鴨居間などをいうが、横架材である限りこれらに限定されない。
【０００６】
上記の考案において、２本の額受け片を左右に開閉可能としても良い。この構成により、額の横幅の違いに的確に対応できる。この考案において、角筒状の本体部と該本体部の中空内を上下に移動可能なスライド部とからなり、上端面と下端面に係止手段を備える壁取付基体と、下部に額受け部を備える共に上部が前記壁取付基体に着脱自在な留め具により螺着固定される略ハ字状をなす２本の額受け片と、を備え、前記スライド部の上部は前記額受け片と同軸で前記留め具により螺着固定されることとしても良い。この構成により、留め具を緩めることにより、２つの横架材間の壁の幅に対応した長さの調整ができ、この操作により同時に額受け片も上下に移動させることができ、また２つの額受け片を左右に開閉できる。
【０００７】
上記の各考案において、額受け部の前後方向の幅の調整を可能としても良い。この構成により、額の厚み幅の違いに対応できる。また、壁取付基体に支持脚を設けても良い。この構成により、支持脚と２つの額受け部の三つの脚により額掛止具が起立可能となり、写真立てとしても用いることができる。
【考案の効果】
【０００８】
本考案の額掛止具は、対向する２つの横架材間の壁の幅に額取付基体の長さを対応させると同時に額受け片も移動させられ、横架材間の壁の幅や壁の種類に左右されず取り付けられるので、汎用性に優れ、また、額吊り具や額受け具を壁などに取り付ける必要がないので、壁などに付く傷や両面テープによる貼付跡の汚れを回避して確実に額を掛止できる。
【０００９】
また、本考案の額掛止具は、２本の額受け片が左右に開閉可能で横幅の違う額に対応できるので、上記の効果に加え、より汎用性に優れる。
【００１０】
また、本考案の額掛止具は、額受け部の幅の調整が可能で額の厚み幅の違いに対応できるので、上記の効果に加え、より汎用性に優れる。
【００１１】
また、本考案の額掛止具は、壁取付基体に支持脚が設けられ、写真立てとしても用いることができるので、用途性に優れる。
【考案を実施するための最良の形態】
【００１２】
以下、本考案の額掛止具５０を図面を参照しながら実施の形態により説明する。図１は、額掛止具５０の斜視図で、図２は額掛止具５０の背面図である。また、図３は、額掛止具５０に額Ｆが掛止された状態を示す説明図で、図４は額掛止具５０を写真立てとして用いる場合を示す斜視図である。
【００１３】
図１に示すように、壁取付基体１０は、角筒状の本体部１１と矩形平板状のスライド部１２とからなる。本体部１１は、上端面に係止手段に相当する多数の針状突起１３が形成されている。また、本体部１１の下端は開口し、中空内に長さ調整手段のスライド部１２が嵌入されている。本体部１１の前壁には、縦長のスリット１５が形成され、本体部１１に嵌入されたスライド部１２の上部がボルト２１で螺着固定されているので、ボルト２１を緩めることによりスライド部１２を上下に移動させることができる。スライド部１２の下端は、拡幅されており、下端面には係止手段に相当するゴムシート１４が貼着されている。また、本体部１１の背面の上部には、係止孔１６が形成されているので、額取付具５０を柱などに係止した状態で用いることもできる。
【００１４】
また、本体部１１の上部は、紐Ｒで額Ｆを吊着するための額吊り具であるヒートン３０が螺着されている。
【００１５】
図２に示すように、本体部１１の後壁には、支持脚３１が形成されている。支持脚３１は、上部が本体部１１の後壁に軸支され、使用しない場合は本体部１１に収容されて後壁の一部を構成している。
【００１６】
額受け片２０は、矩形平板状をなし、その上部はボルト２１により壁取付基体１０にスライド部１２の上部と同軸で螺着固定され、２本の額受け片２０は略ハ字状をなしている。また、額受け片２０の下部には、額受け部２２が形成されている。額受け部２２は、額受け板２３と額受け軸２４とからなる。また、額受け軸２４は、雄ねじ部２５と雌ねじ部２６とからなり、雄ねじ部２５は額受け板２３に固定され、雌ねじ部２６は額受け片２０に固定されているので、雄ねじ部２５が固定された額受け板２３を回動させることにより額受け軸２４の幅の調整ができる。また、額受け片２０の下部には、補強リブ２７が形成され、補強されている。
【００１７】
次いで、上記のように構成される額掛止具５０の使用方法、機能について、額掛止具５０を対向する廻り縁Ｓ１と長押Ｓ２間の壁Ｗに取り付ける場合を例に挙げて説明する。取り付けようとする壁Ｗの幅に対応させるため、壁取付基体１０の長さを調整する。まず、額掛止具５０を壁Ｗに嵌め、壁取付基体１０の上端面の針状突起１３を廻り縁Ｓ１の下端面に差し込む。次いで、ボルト２１を緩め、スライド部１２を下に移動させ長押Ｓ２の上端面に当接させ、壁Ｗの長さに合わせる。長さが合ったら、ボルト２１を締め、スライド部１２を螺着固定する。壁取付基体１０は、上端に針状突起１３と下端にゴムシート１４が形成されているので、額掛止具５０を廻り縁Ｓ１と長押Ｓ２の間に確実に取り付けることができる。  
【００１８】
スライド部１２と２本の額受け片２０がボルト２１により同軸で螺着固定される構成となっているので、ボルト２１を緩めてスライド部１２を下に移動させるのに伴い、額受け片２０も下に移動する。従って、廻り縁Ｓ１と長押Ｓ２間の壁Ｗの幅の長い壁でも、スライド部１２を下げる操作で額受け片２０も同時に下へ移動し、常に長押Ｓ２に対して一定の位置関係を保持して額Ｆを掛止できる。また、ボルト２１を緩めると、額受け片２０が左右方向に開閉可能となるので、掛止する額Ｆの横幅の違いに対応できる。更に、額受け軸２４の幅の調整ができるので、額Ｆの厚み幅の違いに対応できる。  
【００１９】
上記のように、壁Ｗに額掛止具５０が取り付けられれば、図３に示すように、額Ｆの裏側の２箇所に固定張設された紐Ｒを本体部１１に螺着されているヒートン３０に引っ掛け、額Ｆの下枠を額受け部２２で支え、額Ｆを掛止する。
【００２０】
以上の説明のように、本考案の額掛止具５０は、室内の対向する横架材Ｓ１、Ｓ２間の壁Ｗの幅に左右されずに取り付けることができる。また、壁Ｗに螺子やピンの取り付けが必要でないので、石膏ボードの壁など壁の種類に左右されずに取り付けることができる。  更に、取付作業も上記のように簡単に行うことができる。
【００２１】
次いで、額取付具５０を写真立てとして用いる場合の使用方法を説明する。本体部１１の後壁に軸支され、本体部１１の一部をなす支持脚３１が形成されているので、支持脚３１を外側に回動させることにより本体部１１から引き出すことができる。これにより額取付具５０は、支持脚３１と２つの額受け部２２の三つの脚により起立が可能となり、図４に示すように写真立てとして用いることができる。従って、額取付具５０をテーブルやテレビの上に載置し、写真の他、お皿、色紙などを飾ることもできる。また、支持脚３１は、本体部１１と別体ではなく後壁の一部をなし、支持脚３１として使用しない場合は本体部１１に収容され、壁取付基体１０の厚み幅が大きくならないので、額取付具５０を横架材Ｓ１、Ｓ２間の壁Ｗに嵌める場合に障害とならない。
【００２２】
本考案の額取付具５０は、軽くて剛性のある素材で形成することが好ましく、このような素材であれば特に限定されないが、例えば合成樹脂、木質材により形成できる。
【００２３】
本考案は、その技術的範囲に包含される限り、種々形態を変更して具体化できるので、以下に例示する。
（１）着脱自在な留め具は、額受け片とスライド部を螺着固定できる限りボルトに限定されず、例えば螺子でも良い。
（２）長さ調節手段は、上記の実施の形態に限定されず、例えば、本体部の両側面に略コ字状で上部を開口側とするスライド部を形成し、これを上下動させる構成としても良い。
（３）係止手段は、壁取付基体の上下を係止できれば、上記の実施の形態に限定されず、例えば、壁取付基体の下端の係止手段を上端と同様の針状突起としても良い。
【図面の簡単な説明】
【００２４】
【図１】実施形態に係る額掛止具の２つの横架材間の壁に取り付けられた状態の斜視図である。
【図２】実施形態に係る額掛止具の背面図である。
【図３】実施形態に係る額掛止具が壁に取り付けられ、額が掛止された状態を示す説明図である。
【図４】実施形態に係る額掛止具の写真立てとして使用する状態の斜視図である。
【符号の説明】
【００２５】
１０     壁取付基体
１１     本体部
１２     スライド部
１３     針状突起
１４     ゴムシート
２０     額受け片
２１     ボルト
２２     額受け部
２３     額受け板
２４     額受け軸
３１     ヒートン
５０     額取付具
【図１】
0003109869.tif 000003
【図２】
0003109869.tif 000004
【図３】
0003109869.tif 000005
【図４】
0003109869.tif 000006